(57)【要約】【課題】  パン時に後方からナレーションを入れるときの、再生音声の違和感を、軽減又は解消する。【解決手段】  ステレオマトリックス回路１８は、複数の方向から音声を集音するマイク群１２の音声から、５．１ｃｈのサラウンド信号を生成する。ナレーションスイッチ２０がオンのとき、モノラル回路２２は、後方の左右のチャネルの音声信号ＲＬ，ＲＲを混合して、モノラル化する。【選択図】  図１
2008054167.tif 000002
【特許請求の範囲】
【請求項１】
複数の方向からの音声を集音する集音手段（１２）と、
前記集音手段の音声から、後方左右方向のサラウンド信号を生成するサラウンド信号生成手段（１８）と、
後方音声入力時には、前記生成手段からの当該後方左右方向のサラウンド信号をモノラル信号に変換して出力し、後方音声入力時以外では、前記生成手段からの前記後方左右方向のサラウンド信号を出力する変換手段（２２）と、
前記変換手段の出力信号を記録媒体に記録する記録手段（５８）
とを具備することを特徴とする記録装置。
【請求項２】
更に、前記後方音声入力時に操作される操作手段（２０）を具備し、
前記変換手段は、前記操作手段の操作に応じて、前記後方音声入力時には、前記生成手段からの当該後方左右方向のサラウンド信号をモノラル信号に変換して出力し、後方音声入力時以外では、前記生成手段からの当該後方の左右方向のサラウンド信号を出力する
ことを特徴とする請求項１に記載の記録装置。
【請求項３】
前記サラウンド信号生成手段が、前記後方左右方向以外の方向のサラウンド信号を生成し、
前記記録手段は、前記変換手段の出力信号、及び前記サラウンド信号生成手段からの前記後方左右方向以外の方向のサラウンド信号を記録媒体に記録する
ことを特徴とする請求項１又は２に記載の記録装置。
【請求項４】
前記変換手段（２２）は、
前記サラウンド信号生成手段からの前記後方左右方向からのサラウンド信号を混合するミックス回路（７０）と、
前記サラウンド信号生成手段からの前記後方左方向からのサラウンド信号又は前記ミックス回路（７０）の出力信号を選択する第１の選択手段（７２）と、
前記サラウンド信号生成手段からの前記後方右方向からのサラウンド信号又は前記ミックス回路（７０）の出力信号を選択する第２の選択手段（７４）
とを具備することを特徴とする請求項１乃至４に記載の記録装置。
【請求項５】
前記集音手段（１２）は、少なくとも３方向から音声を集音することを特徴とする請求項１乃至４のいずれか１項に記載の記録装置。
【請求項６】
複数の方向からの音声を集音する集音手段（１２）と、
前記集音手段の音声から、後方左右方向のサラウンド信号を生成するサラウンド信号生成手段（１８）と、
後方からの所定以上の音声の有無を検出する後方検出手段（３２０）と、
前記後方検出手段の検出結果に従い、前記所定以上の音声の検出時には、前記生成手段からの当該後方左右方向のサラウンド信号をモノラル信号に変換して出力し、前記所定以上の音声の非検出時には、前記生成手段からの前記後方左右方向のサラウンド信号を出力する変換手段（２２）と、
前記変換手段の出力信号を記録媒体に記録する記録手段（５８）
とを具備することを特徴とする記録装置。
【請求項７】
前記サラウンド信号生成手段が、前記後方左右方向以外の方向のサラウンド信号を生成し、
前記記録手段は、前記変換手段の出力信号、及び前記サラウンド信号生成手段からの前記後方左右方向以外の方向のサラウンド信号を記録媒体に記録する
ことを特徴とする請求項６に記載の記録装置。
【請求項８】
前記後方検出手段は、
前記後方左右方向のサラウンド信号を混合する第１のミックス回路（３２２）と、
当該第１のミックス回路の出力信号から音声帯域成分を抽出する第１のフィルタ（３２４）と、
前記後方左右方向以外の方向のサラウンド信号を混合する第２のミックス回路（３２６）と、
当該第２のミックス回路の出力信号から音声帯域成分を抽出する第２のフィルタ（３２８）と、
当該第１及び第２のフィルタの出力レベルを比較する比較回路（３３０）と、
当該比較回路の比較結果に従い、当該変換手段を制御する回路（３３２）
とを具備することを特徴とする請求項６又は７に記載の記録装置。
【発明の詳細な説明】
【技術分野】
【０００１】
本発明は、撮像素子からの画像データと、マイクからの音声データを記録する記録装置に関し、より具体的には、音声データを定位して記録する記録装置に関する。
【背景技術】
【０００２】
従来、オーディオシステムとして、例えば５．１ｃｈサラウンド（Dolby Digital）に代表されるような、いわゆるマルチチャンネルに対応するものが広く普及してきている。ドルビー、Ｄｏｌｂｙ、及びDolby Digitalは、米国ドルビー・ラボラトリーズ・ライセンシング・コーポレーションの商標である。
【０００３】
例えば、５．１ｃｈサラウンドの場合には、フロント左チャンネル（ＦＬ）、フロント右チャンネル（ＦＲ）、フロントセンターチャンネル（ＦＣ）、サブウーファチャンネル（ＳＷ）、リア左チャンネル（ＲＬ）、及びリア右チャンネル（ＲＲ）の６つのオーディオチャンネルに対応したスピーカをしかるべき位置に配置して、臨場感のある音声を出力するようにしている。
【０００４】
一方、近年では、デジタルカメラ又はデジタルビデオカメラ等の電子機器が目覚ましい発達をしており、デジタルカメラ又はデジタルビデオカメラには、磁気テープ、ハードディスク、記録可能光ディスク又は半導体メモリ等）の種々の記録媒体が使用されるようになった。特に、記録媒体の大容量化に伴い、大容量のデータを記録することが可能となっていることから、例えば、５．１ｃｈサラウンドシステムを搭載したデジタルカメラ又はデジタルビデオカメラが提案されている（特許文献１，２）。
【０００５】
特許文献１では、複数のマイクを装着したビデオカメラから多チャンネルのサラウンド音声としてビデオテープ或いはビデオディスクに記録する方法が記載されている。
【０００６】
また、特許文献２では、前後４チャンネルのマイクからなるマルチチャンネル録音とともに、後方１チャンネルマイクによる撮影者のナレーションとの合成に関する装置が記載されている。
【特許文献１】特開２０００−２９９８４２号公報
【特許文献１】特開２００５−３４１０７３号公報
【発明の開示】
【発明が解決しようとする課題】
【０００７】
ところで、従来の５．１ｃｈサラウンドで記録できるビデオカメラの場合には、図１１に示すように、ポーラパターンを作り出す。また、ポーラパターンは方向性を持っているので、ビデオカメラを撮影中にパンニングすると、記録に影響を及ぼす。
【０００８】
例えば、通常撮影時には、電子ビューファインダを覗きながら撮影する場合、カメラと撮影者は、図１２に示す模式図のような位置関係になる。図１２は、カメラと撮影者の水平面での位置関係を示す。このとき、ビデオカメラと撮影者の口の相対的な位置関係はほとんど同じ位置にあるので、ビデオカメラをパンニングしても記録に影響を及ぼさない。
【０００９】
ところが、ビデオカメラを三脚に乗せて液晶モニタを観測しながら撮影する場合で、ナレーションを入れるような状況では、図１３に示す模式図のようなカメラのパンにより、画面に写っていない後方の撮影者本人のナレーション音声が左右に変化して記録されてしまい、再生時に違和感のある非常に聞きづらいものになってしまう。図１３は、カメラと撮影者の水平面での位置関係を示す。
【００１０】
そこで、本発明は、上記の問題点に鑑み、後方からの音声を違和感無しに記録する記録装置を提示することを目的とする。
【課題を解決するための手段】
【００１１】
上記の目的を達成するために、本発明に係る記録装置は、複数の方向からの音声を集音する集音手段と、前記集音手段の音声から、後方左右方向のサラウンド信号を生成するサラウンド信号生成手段と、後方音声入力時には、前記生成手段からの当該後方左右方向のサラウンド信号をモノラル信号に変換して出力し、後方音声入力時以外では、前記生成手段からの前記後方左右方向のサラウンド信号を出力する変換手段と、前記変換手段の出力信号を記録媒体に記録する記録手段とを具備することを特徴とする。
【００１２】
本発明に係る記録装置は、複数の方向からの音声を集音する集音手段と、前記集音手段の音声から、後方左右方向のサラウンド信号を生成するサラウンド信号生成手段と、後方からの所定以上の音声の有無を検出する後方検出手段と、前記後方検出手段の検出結果に従い、前記所定以上の音声の検出時には、前記生成手段からの当該後方左右方向のサラウンド信号をモノラル信号に変換して出力し、前記所定以上の音声の非検出時には、前記生成手段からの前記後方左右方向のサラウンド信号を出力する変換手段と、前記変換手段の出力信号を記録媒体に記録する記録手段とを具備することを特徴とする。
【発明の効果】
【００１３】
本発明によれば、後方音声入力時には、後方左右方向のサラウンド信号をモノラル信号に変換して録音するので、本発明に係る記録装置を組み込んだ撮像装置を例えばパンしているときに後方のナレータが離すナレーションも、撮像装置の後方に定位するように、録音できる。これにより、録音再生時には、違和感のない音声を聞くことができる。
【発明を実施するための最良の形態】
【００１４】
以下、図面を参照して、本発明の実施例を詳細に説明する。
【実施例１】
【００１５】
図１は、本発明の実施例１に係る撮像装置の概略構成ブロック図であり、図２は実施例１のモノラル回路２２の概略構成ブロック図である。
【００１６】
図１において、撮像装置１０は、音声データに関連する要素として、マイク群１２、マイクアンプ１４、ＡＤ変換器１６、ステレオマトリックス（Stereo Matrix）回路１８、ナレーションスイッチ２０、モノラル回路２２及び音声エンコーダ２４を具備する。撮像装置１０は、画像データに関連する要素として、レンズ５０、ＣＣＤ（Charge Coupled Device）撮像素子５２、カメラ信号処理回路５４及び映像エンコーダ５６を具備する。撮像装置１０は更に、画像データ及び音声データを記録媒体６０に記録する記録処理回路５８を具備する。
【００１７】
まず、音声データの流れを説明する。マイク群１２は、撮像装置１０の前後左右からの音声を集音する４つのマイク、ＭＩＣ−ＦＬ（Front Left）、ＭＩＣ−ＦＲ（Front Right）、ＭＩＣ−ＲＬ（Rear Left）及びＭＩＣ−ＲＲ（Rear Right）からなる。マイクアンプ１４は、マイク群１２の各マイクからのアナログ音声信号を増幅する。ＡＤ変換器１６は、マイクアンプ１４からの各アナログ音声信号をデジタル音声信号に変換する。
【００１８】
ステレオマトリックス回路１８は、ＡＤ変換器１６からの４チャネルのデジタル音声信号を５．１ｃｈ対応のサラウンド信号に変換する。特に、本実施例で使用される５．１ｃｈ対応のサラウンド信号は、ドルビーデジタル（Dolby Digital）に対応し、ＦＣ（Front Center）チャネル、ＦＬ（Front Left）チャネル、ＦＲ（Front Right）チャネル、ＲＬ（Rear Left）チャネル、ＲＲ（Rear Right）チャネル及びＳＷ（Sub Woofer）チャネルの６チャネルの音声信号からなる。
【００１９】
ナレーションスイッチ２０は、撮影者によるナレーションを撮影時に録音する際に使用されるスイッチであり、その操作によりモノラル回路２２が制御される。具体的には、モノラル回路２２は、ナレーションスイッチ２０がオフのとき、ステレオマトリックス回路１８から出力される信号ＲＬ，ＲＲをそのまま出力し、ナレーションスイッチ２０がオンのとき、ステレオマトリックス回路１８から出力される信号ＲＬ，ＲＲを、両者の混合信号からなるモノラル信号ＭＯＮＯに変換して出力する。以下、本明細書では、後方チャネルからの左右の音声をモノラル化した音声信号をナレーションモノラル信号という。
【００２０】
撮像装置１０は、ナレーションスイッチ２０の他に、動画撮影スイッチ、レリーズスイッチ、再生スイッチ、停止スイッチ及びモードダイヤル等を具備し、これらを使って、撮影者は、動作モード（カメラモード、記録モード又は再生モード）の指定、動画撮影、静止画像撮影、動画像再生、及びサムネイル画像の表示等を撮像装置１０に指示できる。
【００２１】
音声エンコーダ２４は、ＡＴＲＡＣ（Adaptive TRansform Acoustic Coding）３等の音声圧縮方式で、ステレオマトリックス回路１８からの信号ＦＣ，ＦＬ，ＦＲ，ＲＬ，ＲＲ及びＳＷ、並びに、モノラル回路２２からの信号ＲＬ，ＲＲ又は２つのナレーションモノラル信号ＭＯＮＯを圧縮符号化し、圧縮音声データを生成する。
【００２２】
次に、画像データの流れを説明する。レンズ５０は被写体の光学像を撮像素子５２の撮像面に結像する。ＣＣＤ撮像素子５２は、レンズ５０からの光学像を電気信号に変換する。なお、撮像素子５２は、ＣＭＯＳ（Complementary Metal Oxide Semiconductor）型撮像素子に変更してもよい。
【００２３】
カメラ信号処理回路５４はＡ／Ｄ変換器（不図示）も備えており、まずＣＣＤ撮像素子５２からの電気信号をデジタル画像信号に変換し、カメラで周知の信号処理（例えば、ガンマ補正、色バランス調整、輝度／色分離）等を施す。
【００２４】
映像エンコーダ５６は、ＭＰＥＧ（Moving Picture Experts Group phase）２、Ｍｏｔｉｏｎ  ＪＰＥＧ又はＪＰＥＧ２０００等の画像圧縮方式でカメラ信号処理回路５４からのデジタル画像信号を圧縮符号化し、圧縮画像データを生成する。
【００２５】
記録処理回路５８は、映像エンコーダ５６からの圧縮画像データ及び音声エンコーダ２４からの圧縮音声データを記録媒体６０に記録する。記録媒体６０は、ＤＶＤ（Digital Versatile Disk）規格に準拠する記録可能光ディスクであるが、ディスクであるが、その他の記録可能光ディスク媒体又は磁気ディスク媒体も利用可能である。
【００２６】
図２を参照して、モノラル回路２２の仕組みを簡単に説明する。モノラル回路２２は、ミックス回路７０、切替えスイッチ７２、切替えスイッチ７４及び減衰器（ＡＴＴ）７６を具備する。
【００２７】
ミックス回路７０は、ステレオマトリックス回路１８からの信号ＲＬ，ＲＲを混合してモノラル信号に変換する。減衰器７６は、ミックス回路７０の出力信号を所定レベルだけ減衰する。撮影者が撮像装置１０の近くに位置することから、一般に被写体側からの音声に比べ、撮影者の音声の方が大きくなるので、減衰器７６により撮影者の音声レベルを低くする。切替えスイッチ７２，７４は、ナレーションスイッチ２０がオフの場合には、それぞれ、ステレオマトリックス回路１８からの信号ＲＬ，ＲＲを選択し、オンの場合には、減衰器７６の出力を選択する。
【００２８】
このように、ナレーションスイッチ２０がオンのときに、信号ＲＲと信号ＲＬを混合して得られるモノラル信号、即ちナレーションモノラル信号を、信号ＲＲ，ＲＬの代わりに音声エンコーダ２４に入力するので、撮像装置１０のパン操作に関わらず、ＲＲチャネルとＲＬチャネルの再生音声が同一強度になり、撮影者の声が撮像装置１０の後方の一定位置に定位する。
【００２９】
ナレーションスイッチ２０をオンにしたときの、本実施例の特徴的な動作を説明する。記録モードにおいて、マイク群１２はアナログ音声信号をマイクアンプ１４に出力する。マイクアンプ１４は、マイク群１２からのアナログ音声信号を増幅する。ＡＤ変換器１６は、マイクアンプ１４で増幅されたアナログ音声信号をデジタル音声信号に変換する。ステレオマトリックス１８は、マイクアンプ１４からの４チャネルのデジタル音声信号を、５．１ｃｈ対応のサラウンド信号（ＦＣ、ＦＬ、ＦＲ、ＲＬ、ＲＲ及びＳＷ）に変換する。そして、サラウンド信号（ＦＣ、ＦＬ、ＦＲ及びＳＷ）は音声エンコーダ２４に供給され、サラウンド信号（ＲＬ及びＲＲ信）はモノラル回路２２に供給される。
【００３０】
記録モードでユーザがナレーションスイッチ２０をオンにすると、モノラル回路２２の切替えスイッチ７２，７４が減衰器７６側に切り替わる。ミックス回路７０は、信号ＲＬ，ＲＲを混合して、ナレーションモノラル信号を生成する。ミックス回路７０の出力音声信号は減衰器７６により減衰され、切替えスイッチ７２，７４を介して音声エンコーダ２４に供給される。
【００３１】
音声エンコーダ２４は、ステレオマトリックス回路１８からの信号ＦＣ，ＦＬ，ＦＲ及びＳＷ、並びに、モノラル回路２２からの信号ＲＬ，ＲＲ又はナレーションモノラル信号を圧縮符号化し、記録再生回路５８に供給する。記録再生回路５８は、映像エンコーダ５６からの圧縮画像データと音声エンコーダ２４からの圧縮音声データを記録媒体６０に記録する。
【００３２】
このように、本実施例では、ナレーションスイッチ２０が押されると、ＲＬチャネルとＲＲチャネルを両者の混合からなるモノラル信号に変換して記録するので、記録時の撮像装置１０に対するナレータ（撮影者）の位置に関わらず、再生時には、ＲＬチャネルとＲＲチャネルの再生音声が同じ音量になる。即ち、撮影時に撮像装置１０をパンしても、撮影者の再生音声は、常に撮像装置１０の後方に定位する。図３は、本実施例の再生音声のポーラパターン例を示す。
【００３３】
一方、ナレーションスイッチ２０が押されないと、音声エンコーダ２４は、ステレオマトリックス回路１８の６チャネルのサラウンド信号（ＦＣ、ＦＬ、ＦＲ、ＲＬ、ＲＲ及びＳＷ）をそのまま圧縮符号化し、記録再生回路５８は、音声エンコーダ２４からの圧縮画像データを記録媒体６０に記録する。従って、撮像装置１０をパンしながら、ナレーションを録音したときには、再生時に、ナレータの音像が、撮像装置１０のパンを反映して、移動する。視聴者にとって、話者が移動するような、不自然なナレーションになってしまう。
【００３４】
なお、一般に被写体側からの音声に比べて撮影者の声はマイクに近いことが考えられるため、撮影者の声が、被写体からの音声に比べて大きくなりがちである。しかし、本実施例では、モノラル回路２２に減衰器７６を設けたので、このことは解消される。もっとも、再生時に音量調節するのであれば、図４に示すモノラル回路２２ａのように、減衰器７６を省略してもよい。
【実施例２】
【００３５】
実施例１では、モノラル回路２２又はモノラル回路２２ａが、後方からのステレオ音声信号（ＲＬ，ＲＲ）をモノラル化したが、前方からのステレオ音声信号ＦＬ，ＦＲにナレーションモノラル信号を混合しても良い。こうすることで、撮像装置のパンの影響を軽減できる。
【００３６】
図５は、そのように変更した実施例２の概略構成ブロック図を示す。実施例１と同一の構成要素には同一符号を付してある。図５に示す撮像装置１１０では、モノラル回路２２をモノラル回路２２ｂに変更されており、図６は、モノラル回路２２ｂの概略構成ブロック図を示す。
【００３７】
本実施例の変更部分を説明する。撮像装置１１０のモノラル回路２２ｂでは、モノラル回路２２の構成要素に更に、ナレーションスイッチ２０がオンのときに閉成され、オフのときに開放されるスイッチ７８と、信号ＦＬにスイッチ７８からのナレーションモノラル信号ＭＯＮＯを混合するミックス回路８０と、信号ＦＲにスイッチ７８からのナレーションモノラル信号ＭＯＮＯを混合するミックス回路８２が追加されている。
【００３８】
ミックス回路８０は、ナレーションスイッチ２０がオンのとき、信号ＦＬに減衰器７６の出力信号（ナレーションモノラル信号）を混合して出力し、ナレーションスイッチ２０がオフのときには、信号ＦＬをそのまま出力する。同様に、ミックス回路８２は、ナレーションスイッチ２０がオンのとき、信号ＦＲに減衰器７６の出力信号を混合した信号を出力し、ナレーションスイッチ２０がオフのときには、信号ＦＲをそのまま出力する。ナレーションの音量が適量になるように、ミックス回路８０，８２の混合比を適当な値に設定する。
【００３９】
これにより、ナレーションスイッチ２０がオフのときには、モノラル回路２２ｂは、入力する信号ＦＬ，ＦＲ，ＲＬ，ＲＲをそのまま出力し、ナレーションスイッチ２０がオンのときには、ＦＬチャネルに信号ＦＬにナレーションモノラル信号を混合した信号を出力し、ＦＲチャネルに信号ＦＲにナレーションモノラル信号を混合した信号を出力し、ＲＬチャネルにナレーションモノラル信号を出力し、ＲＲチャネルにナレーションモノラル信号を出力する。
【００４０】
図６に示すモノラル回路２２ｂによれば、ＦＲチャネル及びＦＬチャネルについても、撮影者のナレーションを示すモノラル信号が混合さるので、撮像装置１０のパンに関わらず、撮影者の音像を撮像装置の後方に定位させることができる。
【実施例３】
【００４１】
図７は本発明の実施例３の概略構成ブロック図を示す。実施例１，２と同一の構成要素には同一符号を付してある。この実施例の撮像装置２１０では、モノラル回路２２に代えて、モノラル回路２２ｃが配置される。モノラル回路２２ｃは、モノラル回路２０の機能に加えて、ナレーション時、ナレーションモノラル信号ＭＯＮＯを正面のチャネルＦＣに混合する。こうすることでも、撮像装置のパンの影響を軽減できる。図８は、モノラル回路２２ｃの概略構成ブロック図を示す。
【００４２】
本実施例の変更部分を説明する。モノラル回路２２ｃでは、モノラル回路２２の構成要素に更に、ナレーションスイッチ２０がオンのときに閉成され、オフのときに開放されるスイッチ８４と、信号ＦＣにスイッチ８４からのナレーションモノラル信号ＭＯＮＯを混合するミックス回路８６が追加されている。
【００４３】
ミックス回路８６は、ナレーションスイッチ２０がオンのとき、信号ＦＣに減衰器７６の出力信号（ナレーションモノラル信号）を混合した信号を出力し、ナレーションスイッチ２０がオフのときには、信号ＦＬをそのまま出力する。ナレーションの音量が適量になるように、ミックス回路８６の混合比を適当な値に設定する。
【００４４】
これにより、ナレーションスイッチ２０がオフのときには、モノラル回路２２ｃは、入力する信号ＦＣ，ＲＬ，ＲＲをそのまま出力し、ナレーションスイッチ２０がオンのときには、ＦＣチャネルに信号ＦＣにナレーションモノラル信号を混合した信号を出力し、ＲＬチャネルにナレーションモノラル信号を出力し、ＲＲチャネルにナレーションモノラル信号を出力する。
【００４５】
図８に示すモノラル回路２２ｃによれば、正面からの音声であるＦＣチャネルについても、撮影者のナレーションを示すモノラル信号が混合さるので、撮像装置１０のパンに関わらず、撮影者の音像を撮像装置に対して一定位置に定位させることができる。
【実施例４】
【００４６】
次に、ユーザがナレーションスイッチ２０を押すこと無しに自動的にモノラル回路２２を制御するようにした実施例４を説明する。図９は、実施例４の撮像装置３１０の概略構成ブロック図である。撮像装置３１０では、ナレーションスイッチ２０に代えて後方検出回路３２０が配置される。図１０は、後方検出回路３２０の概略構成ブロック図である。実施例１の同一機能の構成要素には、同一符号を付けてある。
【００４７】
撮像装置３１０の後方検出回路３２０は、ミックス回路３２２，３２６、バンドパスフィルタ３２４，３２８、比較回路３３０及びタイミング回路３３２を具備し、ステレオマトリックス回路１８からの正面、前方左右及び後方左右の５チャネルのサラウンド信号（ＦＣ、ＦＬ、ＦＲ、ＲＬ及びＲＲ）から後方からの音声入力状態を検知する。
【００４８】
ミックス回路３２２は、ステレオマトリックス回路１８からの信号ＦＣ，ＦＬ，ＦＲを混合し、バンドパスフィルタ３２４は、ミックス回路３２２の出力から人の声の帯域成分（２００ＨＺ〜５ｋＨｚ程度）を抽出する。ミックス回路３２６は、ステレオマトリックス回路１８からの信号ＲＬ，ＲＲを混合し、バンドパスフィルタ３２８は、ミックス回路３２６の出力から人の声の帯域成分（２００ＨＺ〜５ｋＨｚ程度）を抽出する。バンドパスフィルタ３２４，３２８の通過帯域は、同じでよい。
【００４９】
比較回路３３０は、バンドパスフィルタ３２４，３２８の出力信号レベルの絶対値を比較する。例えば、バンドパスフィルタ３２８の出力信号レベルが、バンドパスフィルタ３２４の出力信号レベルよりも大きければ、撮影者が撮像装置１０の後方側から声を発していると考えられる。この場合には、比較回路３３０は信号Ｈをタイミング回路３３２に供給する。逆に、バンドパスフィルタ３２８の出力信号レベルが、バンドパスフィルタ３２４の出力信号レベル以下になると、比較回路３３０は信号Ｌをタイミング回路３３２に供給する。
【００５０】
タイミング回路３３２は、比較回路３３０の出力信号がＨのとき、モノラル回路２２のスイッチ７２，７４をオンにする制御信号をモノラル回路２２に供給し、比較回路３３０の出力信号がＬのとき、モノラル回路２２のスイッチ７２，７４をオフにする制御信号をモノラル回路２２に供給する。スイッチ７２，７４のチャタリングを避けるために、スイッチ７２，７４の切替えにヒステリシス特性を持たせてもよい。例えば、タイミング回路３３２は、比較回路３３０の出力信号がＬからＨに遷移すると、所定期間、モノラル回路２２のスイッチ７２，７４をオンにする制御信号をモノラル回路２２に供給し、当該所定期間が経過した後に比較回路３４０の出力信号がＨからＬに遷移するのに応じて、モノラル回路２２のスイッチ７２，７４をオフにする制御信号をモノラル回路２２に供給するようにしてもよい。
【００５１】
このように、本実施例では、後方検出回路３２０により、撮像装置３００の後方からの音声の有無により、後方左右チャネルの音声のモノラル化を制御するので、ナレーション時に確実にナレーションの音声を撮像装置３００の所定位置に定位して記録することができる。
【００５２】
以上の各実施例では、５．１ｃｈ対応のサラウンド信号を例に説明したが、６．１ｃｈ又は７．１ｃｈ等にも本発明を適用できる。また、本実施例では、マイク４個の例で述べたが、３個あるいは５個以上でも同様の効果が得られる。
【図面の簡単な説明】
【００５３】
【図１】本発明の実施例１に係る撮像装置の概略構成ブロック図である。
【図２】実施例１のモノラル回路２２のブロック図である。
【図３】本実施例のポーラパターン例である。
【図４】モノラル回路の別の構成例である。
【図５】本発明の実施例２に係る撮像装置の概略構成ブロック図である。
【図６】実施例２のモノラル回路２２ｂのブロック図である。
【図７】本発明の実施例３の撮像装置の概略構成ブロック図である。
【図８】実施例３のモノラル回路２２ｃのブロック図である。
【図９】本発明の実施例４に係る撮像装置の概略構成ブロック図である。
【図１０】実施例４の後方検出回路３２０の概略構成ブロック図である。
【図１１】従来の５．１ｃｈのポーラパターンである。
【図１２】通常撮影時のカメラと撮影者の水平位置関係を示す模式図である。
【図１３】カメラをパンしているときの、カメラと撮影者の水平位置関係を示す模式図である。
【符号の説明】
【００５４】
１０，１１０，２１０，３１０  撮像装置
１２  マイク群
１４  マイクアンプ
１６  ＡＤ変換器
１８  ステレオマトリックス回路
２０  ナレーションスイッチ
２２，２２ａ，２２ｂ，２２ｃ  モノラル回路
２４  音声エンコーダ
５０  レンズ
５２  ＣＣＤ撮像素子
５４  カメラ信号処理回路
５６  映像エンコーダ
５８  記録処理回路
６０  記録媒体
７０，８０  ミックス回路
７２，７４  切替えスイッチ
７６  減衰器
７８  スイッチ
３２０  後方検出回路
３２２，３２６  ミックス回路
３２４，３２８  バンドパスフィルタ
３３０  比較回路
３３２  タイミング回路
【図１】
2008054167.tif 000003
【図２】
2008054167.tif 000004
【図３】
2008054167.tif 000005
【図４】
2008054167.tif 000006
【図５】
2008054167.tif 000007
【図６】
2008054167.tif 000008
【図７】
2008054167.tif 000009
【図８】
2008054167.tif 000010
【図９】
2008054167.tif 000011
【図１０】
2008054167.tif 000012
【図１１】
2008054167.tif 000013
【図１２】
2008054167.tif 000014
【図１３】
2008054167.tif 000015